(57)【特許請求の範囲】
【請求項１】
携帯電話機と、前記携帯電話機に装着自在の無線ＬＡＮアダプタと、を有する電話システムであって、
前記携帯電話機は、
マンマシンインターフェース手段と、
携帯電話サービスに必要な呼制御処理および通話処理を行う携帯電話処理手段と、
自携帯電話機に装着された前記無線ＬＡＮアダプタに自携帯電話機を接続するための無線ＬＡＮアダプタインターフェース手段と、
自携帯電話機に前記無線ＬＡＮアダプタが装着されている場合に、前記マンマシンインターフェース手段を前記無線ＬＡＮアダプタインターフェース手段に接続し、自携帯電話機に前記無線ＬＡＮアダプタが装着されていない場合に、前記マンマシンインターフェース手段を前記携帯電話処理手段に接続する携帯電話機側接続手段と、を有し、
前記無線ＬＡＮアダプタは、
留守番電話サービス機能を備えた主装置に収容されており、
ＩＰ電話サービスに必要な呼制御処理および通話処理を行うＩＰ電話処理手段と、
付加サービスを提供する無線ＬＡＮアダプタ側付加サービス提供手段と、
自無線ＬＡＮアダプタを装着する前記携帯電話機に自無線ＬＡＮアダプタを接続するための携帯電話機インターフェース手段と、
自無線ＬＡＮアダプタが前記携帯電話機に装着されている場合に、前記ＩＰ電話処理手段を前記携帯電話機インターフェース手段に接続し、自無線ＬＡＮアダプタが前記携帯電話機に装着されていない場合に、前記ＩＰ電話処理手段を前記無線ＬＡＮアダプタ側付加サービス提供手段に接続する無線ＬＡＮアダプタ側接続手段と、を有し、
前記無線ＬＡＮアダプタ側付加サービス提供手段は、
前記無線ＬＡＮアダプタ側接続手段によって前記無線ＬＡＮアダプタ側付加サービス提供手段が前記ＩＰ電話処理手段に接続された場合に、前記ＩＰ電話処理手段を制御して、前記主装置へ留守番電話サービスの設定要求を送信させ、前記無線ＬＡＮアダプタ側接続手段によって前記無線ＬＡＮアダプタ側付加サービス提供手段が前記ＩＰ電話処理手段から切断される場合に、前記ＩＰ電話処理手段を制御して、前記主装置へ前記留守番電話サービスの解除要求を送信させる
ことを特徴とする電話システム。
【請求項２】
携帯電話機と、前記携帯電話機に装着自在の無線ＬＡＮアダプタと、を有する電話システムであって、
前記携帯電話機は、
マンマシンインターフェース手段と、
携帯電話サービスに必要な呼制御処理および通話処理を行う携帯電話処理手段と、
自携帯電話機に装着された前記無線ＬＡＮアダプタに自携帯電話機を接続するための無線ＬＡＮアダプタインターフェース手段と、
自携帯電話機に前記無線ＬＡＮアダプタが装着されている場合に、前記マンマシンインターフェース手段を前記無線ＬＡＮアダプタインターフェース手段に接続し、自携帯電話機に前記無線ＬＡＮアダプタが装着されていない場合に、前記マンマシンインターフェース手段を前記携帯電話処理手段に接続する携帯電話機側接続手段と、を有し、
前記無線ＬＡＮアダプタは、
着信転送サービス機能を備えた主装置に収容されており、
ＩＰ電話サービスに必要な呼制御処理および通話処理を行うＩＰ電話処理手段と、
付加サービスを提供する無線ＬＡＮアダプタ側付加サービス提供手段と、
自無線ＬＡＮアダプタを装着する前記携帯電話機に自無線ＬＡＮアダプタを接続するための携帯電話機インターフェース手段と、
自無線ＬＡＮアダプタが前記携帯電話機に装着されている場合に、前記ＩＰ電話処理手段を前記携帯電話機インターフェース手段に接続し、自無線ＬＡＮアダプタが前記携帯電話機に装着されていない場合に、前記ＩＰ電話処理手段を前記無線ＬＡＮアダプタ側付加サービス提供手段に接続する無線ＬＡＮアダプタ側接続手段と、を有し、
前記無線ＬＡＮアダプタ側付加サービス提供手段は、
前記無線ＬＡＮアダプタ側接続手段によって前記無線ＬＡＮアダプタ側付加サービス提供手段が前記ＩＰ電話処理手段に接続された場合に、前記ＩＰ電話処理手段を制御して、前記携帯電話機への着信転送サービスの設定要求を前記主装置へ送信させ、前記無線ＬＡＮアダプタ側接続手段によって前記無線ＬＡＮアダプタ側付加サービス提供手段が前記ＩＰ電話処理手段から切断される場合に、前記ＩＰ電話処理手段を制御して、前記主装置へ前記着信転送サービスの解除要求を送信させる
ことを特徴とする電話システム。
【請求項３】
携帯電話機と、前記携帯電話機に装着自在の無線ＬＡＮアダプタと、を有する電話システムであって、
前記携帯電話機は、
マンマシンインターフェース手段と、
携帯電話サービスに必要な呼制御処理および通話処理を行う携帯電話処理手段と、
自携帯電話機に装着された前記無線ＬＡＮアダプタに自携帯電話機を接続するための無線ＬＡＮアダプタインターフェース手段と、
自携帯電話機に前記無線ＬＡＮアダプタが装着されている場合に、前記マンマシンインターフェース手段を前記無線ＬＡＮアダプタインターフェース手段に接続し、自携帯電話機に前記無線ＬＡＮアダプタが装着されていない場合に、前記マンマシンインターフェース手段を前記携帯電話処理手段に接続する携帯電話機側接続手段と、を有し、
前記無線ＬＡＮアダプタは、
不在通知サービス機能を備えた主装置に収容されており、
ＩＰ電話サービスに必要な呼制御処理および通話処理を行うＩＰ電話処理手段と、
付加サービスを提供する無線ＬＡＮアダプタ側付加サービス提供手段と、
自無線ＬＡＮアダプタを装着する前記携帯電話機に自無線ＬＡＮアダプタを接続するための携帯電話機インターフェース手段と、
自無線ＬＡＮアダプタが前記携帯電話機に装着されている場合に、前記ＩＰ電話処理手段を前記携帯電話機インターフェース手段に接続し、自無線ＬＡＮアダプタが前記携帯電話機に装着されていない場合に、前記ＩＰ電話処理手段を前記無線ＬＡＮアダプタ側付加サービス提供手段に接続する無線ＬＡＮアダプタ側接続手段と、を有し、
前記無線ＬＡＮアダプタ側付加サービス提供手段は、
前記無線ＬＡＮアダプタ側接続手段によって前記無線ＬＡＮアダプタ側付加サービス提供手段が前記ＩＰ電話処理手段に接続された場合に、前記ＩＰ電話処理手段を制御して、前記主装置へ不在通知サービスの設定要求を送信させ、前記無線ＬＡＮアダプタ側接続手段によって前記無線ＬＡＮアダプタ側付加サービス提供手段が前記ＩＰ電話処理手段から切断される場合に、前記ＩＰ電話処理手段を制御して、前記主装置へ前記不在通知サービスの解除要求を送信させる
ことを特徴とする電話システム。
【請求項４】
携帯電話機と、前記携帯電話機に装着自在の無線ＬＡＮアダプタと、を有する電話システムであって、
前記携帯電話機は、
マンマシンインターフェース手段と、
携帯電話サービスに必要な呼制御処理および通話処理を行う携帯電話処理手段と、
自携帯電話機に装着された前記無線ＬＡＮアダプタに自携帯電話機を接続するための無線ＬＡＮアダプタインターフェース手段と、
自携帯電話機に前記無線ＬＡＮアダプタが装着されている場合に、前記マンマシンインターフェース手段を前記無線ＬＡＮアダプタインターフェース手段に接続し、自携帯電話機に前記無線ＬＡＮアダプタが装着されていない場合に、前記マンマシンインターフェース手段を前記携帯電話処理手段に接続する携帯電話機側接続手段と、
前記無線ＬＡＮアダプタインターフェース手段を介して、自携帯電話機に装着された前記無線ＬＡＮアダプタに自携帯電話機の電話番号を通知する番号通知手段と、を有し、
前記無線ＬＡＮアダプタは、
ＩＰ電話サービスに必要な呼制御処理および通話処理を行うＩＰ電話処理手段と、
付加サービスを提供する無線ＬＡＮアダプタ側付加サービス提供手段と、
自無線ＬＡＮアダプタを装着する前記携帯電話機に自無線ＬＡＮアダプタを接続するための携帯電話機インターフェース手段と、
自無線ＬＡＮアダプタが前記携帯電話機に装着されている場合に、前記ＩＰ電話処理手段を前記携帯電話機インターフェース手段に接続し、自無線ＬＡＮアダプタが前記携帯電話機に装着されていない場合に、前記ＩＰ電話処理手段を前記無線ＬＡＮアダプタ側付加サービス提供手段に接続する無線ＬＡＮアダプタ側接続手段と、
前記携帯電話機インターフェース手段を介して、自無線ＬＡＮアダプタが装着された前記携帯電話機から電話番号を取得する番号取得手段と、を有し、
前記ＩＰ電話処理手段は、
発信に際して、前記番号取得手段により取得した前記電話番号を携帯電話番号として呼設定要求メッセージに含めて送信すると共に、着信した呼設定要求メッセージに携帯電話番号が含まれている場合に、当該携帯電話番号を、前記携帯電話機インターフェース手段を介して自無線ＬＡＮアダプタが装着された前記携帯電話機に送信し、
前記マンマシンインターフェース手段は、
前記無線ＬＡＮアダプタインターフェース手段を介して、自携帯電話機に装着された前記無線ＬＡＮアダプタから取得した前記携帯電話番号を表示する
ことを特徴とする電話システム。
【請求項５】
請求項１ないし４のいずれか一項に記載の電話システムの構成要素として、当該電話システムに用いられることを特徴とする無線ＬＡＮアダプタ。
【請求項６】
請求項１ないし４のいずれか一項に記載の電話システムの構成要素として、当該電話システムに用いられることを特徴とする携帯電話機。
【発明の詳細な説明】
【技術分野】
【０００１】
本発明は、携帯電話機および無線ＬＡＮアダプタを用いて携帯電話およびＩＰ電話の双方を利用可能にする技術に関する。
【背景技術】
【０００２】
特許文献１には、携帯電話機とＩＰ電話機との双方の利便性を向上させることができる電話システムが開示されている。この電話システムにおいて、携帯電話用アダプタは、携帯電話機の外部接続端子に接続されると、インターネットに接続可能か否かを判断し、接続可能であるならば、通話相手のＩＰ電話番号がインターネットに接続されているか否かをさらに判断する。そして、通話相手のＩＰ電話番号がインターネットに接続されているならば、インターネットを介してこのＩＰ電話番号で発呼し、接続されていないならば、携帯電話機から発呼する。
【特許文献１】特開２００４−１３５３２４号公報
【発明の開示】
【発明が解決しようとする課題】
【０００３】
しかしながら、特許文献１に記載の電話システムにおいては、携帯電話用アダプタが携帯電話機の外部接続端子から外されている状態での取扱いが何ら考慮されていない。
【０００４】
本発明は上記事情に鑑みてなされたものであり、本発明の目的は、携帯電話およびＩＰ電話の双方を利用可能にする携帯電話機および無線ＬＡＮアダプタの使い勝手を向上させる技術を提供することにある。
【課題を解決するための手段】
【０００５】
上記課題を解決するために、本発明では、無線ＬＡＮアダプタが携帯電話機に装着されている場合、携帯電話機のマンマシンインターフェースを携帯電話処理部から切り離して、無線ＬＡＮアダプタのＩＰ電話処理部に接続することにより、携帯電話機のマンマシンインターフェースを利用したＩＰ電話を可能とする。一方、無線ＬＡＮアダプタが携帯電話機から外されている場合、携帯電話機のマンマシンインターフェースを携帯電話処理部に接続することで通常の携帯電話を可能にすると共に、無線ＬＡＮアダプタのＩＰ電話処理部を留守番電話サービス、着信転送サービス、不在通知サービス等の付加サービスを提供する付加サービス提供部に接続することで、無線ＬＡＮアダプタに対する着信を処理する。
【０００６】
例えば、本発明は、携帯電話機と、前記携帯電話機に装着自在の無線ＬＡＮアダプタと、を有する電話システムであって、
前記携帯電話機は、
マンマシンインターフェース手段と、
携帯電話サービスに必要な呼制御処理および通話処理を行う携帯電話処理手段と、
自携帯電話機に装着された前記無線ＬＡＮアダプタに自携帯電話機を接続するための無線ＬＡＮアダプタインターフェース手段と、
自携帯電話機に前記無線ＬＡＮアダプタが装着されている場合に、前記マンマシンインターフェース手段を前記無線ＬＡＮアダプタインターフェース手段に接続し、自携帯電話機に前記無線ＬＡＮアダプタが装着されていない場合に、前記マンマシンインターフェース手段を前記携帯電話処理手段に接続する携帯電話機側接続手段と、を有し、
前記無線ＬＡＮアダプタは、
留守番電話サービス機能を備えた主装置に収容されており、
ＩＰ電話サービスに必要な呼制御処理および通話処理を行うＩＰ電話処理手段と、
付加サービスを提供する無線ＬＡＮアダプタ側付加サービス提供手段と、
自無線ＬＡＮアダプタを装着する前記携帯電話機に自無線ＬＡＮアダプタを接続するための携帯電話機インターフェース手段と、
自無線ＬＡＮアダプタが前記携帯電話機に装着されている場合に、前記ＩＰ電話処理手段を前記携帯電話機インターフェース手段に接続し、自無線ＬＡＮアダプタが前記携帯電話機に装着されていない場合に、前記ＩＰ電話処理手段を前記無線ＬＡＮアダプタ側付加サービス提供手段に接続する無線ＬＡＮアダプタ側接続手段と、を有し、
前記無線ＬＡＮアダプタ側付加サービス提供手段は、
前記無線ＬＡＮアダプタ側接続手段によって前記無線ＬＡＮアダプタ側付加サービス提供手段が前記ＩＰ電話処理手段に接続された場合に、前記ＩＰ電話処理手段を制御して、前記主装置へ留守番電話サービスの設定要求を送信させ、前記無線ＬＡＮアダプタ側接続手段によって前記無線ＬＡＮアダプタ側付加サービス提供手段が前記ＩＰ電話処理手段から切断される場合に、前記ＩＰ電話処理手段を制御して、前記主装置へ前記留守番電話サービスの解除要求を送信させる。
また、本発明は、携帯電話機と、前記携帯電話機に装着自在の無線ＬＡＮアダプタと、を有する電話システムであって、
前記携帯電話機は、
マンマシンインターフェース手段と、
携帯電話サービスに必要な呼制御処理および通話処理を行う携帯電話処理手段と、
自携帯電話機に装着された前記無線ＬＡＮアダプタに自携帯電話機を接続するための無線ＬＡＮアダプタインターフェース手段と、
自携帯電話機に前記無線ＬＡＮアダプタが装着されている場合に、前記マンマシンインターフェース手段を前記無線ＬＡＮアダプタインターフェース手段に接続し、自携帯電話機に前記無線ＬＡＮアダプタが装着されていない場合に、前記マンマシンインターフェース手段を前記携帯電話処理手段に接続する携帯電話機側接続手段と、を有し、
前記無線ＬＡＮアダプタは、
着信転送サービス機能を備えた主装置に収容されており、
ＩＰ電話サービスに必要な呼制御処理および通話処理を行うＩＰ電話処理手段と、
付加サービスを提供する無線ＬＡＮアダプタ側付加サービス提供手段と、
自無線ＬＡＮアダプタを装着する前記携帯電話機に自無線ＬＡＮアダプタを接続するための携帯電話機インターフェース手段と、
自無線ＬＡＮアダプタが前記携帯電話機に装着されている場合に、前記ＩＰ電話処理手段を前記携帯電話機インターフェース手段に接続し、自無線ＬＡＮアダプタが前記携帯電話機に装着されていない場合に、前記ＩＰ電話処理手段を前記無線ＬＡＮアダプタ側付加サービス提供手段に接続する無線ＬＡＮアダプタ側接続手段と、を有し、
前記無線ＬＡＮアダプタ側付加サービス提供手段は、
前記無線ＬＡＮアダプタ側接続手段によって前記無線ＬＡＮアダプタ側付加サービス提供手段が前記ＩＰ電話処理手段に接続された場合に、前記ＩＰ電話処理手段を制御して、前記携帯電話機への着信転送サービスの設定要求を前記主装置へ送信させ、前記無線ＬＡＮアダプタ側接続手段によって前記無線ＬＡＮアダプタ側付加サービス提供手段が前記ＩＰ電話処理手段から切断される場合に、前記ＩＰ電話処理手段を制御して、前記主装置へ前記着信転送サービスの解除要求を送信させる。
また、本発明は、携帯電話機と、前記携帯電話機に装着自在の無線ＬＡＮアダプタと、を有する電話システムであって、
前記携帯電話機は、
マンマシンインターフェース手段と、
携帯電話サービスに必要な呼制御処理および通話処理を行う携帯電話処理手段と、
自携帯電話機に装着された前記無線ＬＡＮアダプタに自携帯電話機を接続するための無線ＬＡＮアダプタインターフェース手段と、
自携帯電話機に前記無線ＬＡＮアダプタが装着されている場合に、前記マンマシンインターフェース手段を前記無線ＬＡＮアダプタインターフェース手段に接続し、自携帯電話機に前記無線ＬＡＮアダプタが装着されていない場合に、前記マンマシンインターフェース手段を前記携帯電話処理手段に接続する携帯電話機側接続手段と、を有し、
前記無線ＬＡＮアダプタは、
不在通知サービス機能を備えた主装置に収容されており、
ＩＰ電話サービスに必要な呼制御処理および通話処理を行うＩＰ電話処理手段と、
付加サービスを提供する無線ＬＡＮアダプタ側付加サービス提供手段と、
自無線ＬＡＮアダプタを装着する前記携帯電話機に自無線ＬＡＮアダプタを接続するための携帯電話機インターフェース手段と、
自無線ＬＡＮアダプタが前記携帯電話機に装着されている場合に、前記ＩＰ電話処理手段を前記携帯電話機インターフェース手段に接続し、自無線ＬＡＮアダプタが前記携帯電話機に装着されていない場合に、前記ＩＰ電話処理手段を前記無線ＬＡＮアダプタ側付加サービス提供手段に接続する無線ＬＡＮアダプタ側接続手段と、を有し、
前記無線ＬＡＮアダプタ側付加サービス提供手段は、
前記無線ＬＡＮアダプタ側接続手段によって前記無線ＬＡＮアダプタ側付加サービス提供手段が前記ＩＰ電話処理手段に接続された場合に、前記ＩＰ電話処理手段を制御して、前記主装置へ不在通知サービスの設定要求を送信させ、前記無線ＬＡＮアダプタ側接続手段によって前記無線ＬＡＮアダプタ側付加サービス提供手段が前記ＩＰ電話処理手段から切断される場合に、前記ＩＰ電話処理手段を制御して、前記主装置へ前記不在通知サービスの解除要求を送信させる。
また、本発明は、携帯電話機と、前記携帯電話機に装着自在の無線ＬＡＮアダプタと、を有する電話システムであって、
前記携帯電話機は、
マンマシンインターフェース手段と、
携帯電話サービスに必要な呼制御処理および通話処理を行う携帯電話処理手段と、
自携帯電話機に装着された前記無線ＬＡＮアダプタに自携帯電話機を接続するための無線ＬＡＮアダプタインターフェース手段と、
自携帯電話機に前記無線ＬＡＮアダプタが装着されている場合に、前記マンマシンインターフェース手段を前記無線ＬＡＮアダプタインターフェース手段に接続し、自携帯電話機に前記無線ＬＡＮアダプタが装着されていない場合に、前記マンマシンインターフェース手段を前記携帯電話処理手段に接続する携帯電話機側接続手段と、
前記無線ＬＡＮアダプタインターフェース手段を介して、自携帯電話機に装着された前記無線ＬＡＮアダプタに自携帯電話機の電話番号を通知する番号通知手段と、を有し、
前記無線ＬＡＮアダプタは、
ＩＰ電話サービスに必要な呼制御処理および通話処理を行うＩＰ電話処理手段と、
付加サービスを提供する無線ＬＡＮアダプタ側付加サービス提供手段と、
自無線ＬＡＮアダプタを装着する前記携帯電話機に自無線ＬＡＮアダプタを接続するための携帯電話機インターフェース手段と、
自無線ＬＡＮアダプタが前記携帯電話機に装着されている場合に、前記ＩＰ電話処理手段を前記携帯電話機インターフェース手段に接続し、自無線ＬＡＮアダプタが前記携帯電話機に装着されていない場合に、前記ＩＰ電話処理手段を前記無線ＬＡＮアダプタ側付加サービス提供手段に接続する無線ＬＡＮアダプタ側接続手段と、
前記携帯電話機インターフェース手段を介して、自無線ＬＡＮアダプタが装着された前記携帯電話機から電話番号を取得する番号取得手段と、を有し、
前記ＩＰ電話処理手段は、
発信に際して、前記番号取得手段により取得した前記電話番号を携帯電話番号として呼設定要求メッセージに含めて送信すると共に、着信した呼設定要求メッセージに携帯電話番号が含まれている場合に、当該携帯電話番号を、前記携帯電話機インターフェース手段を介して自無線ＬＡＮアダプタが装着された前記携帯電話機に送信し、
前記マンマシンインターフェース手段は、
前記無線ＬＡＮアダプタインターフェース手段を介して、自携帯電話機に装着された前記無線ＬＡＮアダプタから取得した前記携帯電話番号を表示する。
【発明の効果】
【０００７】
本発明によれば、携帯電話機に装着されていない無線ＬＡＮアダプタへの着信に対して留守番電話サービス、着信転送サービス、不在通知サービス等の付加サービスを提供することができ、これにより、携帯電話およびＩＰ電話の双方を利用可能にする携帯電話機および無線ＬＡＮアダプタの使い勝手を向上させることができる。
【発明を実施するための最良の形態】
【０００８】
以下、本発明の一実施の形態について説明する。
【０００９】
図１は、本発明の一実施の形態が適用された電話システムを含む通信システムの概略図である。
【００１０】
図示するように、本実施の形態の電話システムは、携帯電話機１と、携帯電話機１に装着自在の無線ＬＡＮアダプタ２と、無線ＬＡＮアダプタ２に電力を供給する充電台３と、を有する。携帯電話機１は、無線基地局（ＢＳ）４を介して公衆回線網５Ａに接続される。無線ＬＡＮアダプタ２は、無線ＬＡＮアクセスポイント（ＡＰ）６およびＬＡＮ７を介して、主装置（ＩＰ−ＰＢＸ）８に収容されている。主装置８は、ＬＡＮ７およびゲートウェイ（ＧＷ）９を介して、ＩＰ電話網５Ｂに接続される。そして、公衆回線網５ＡおよびＩＰ電話網５Ｂは、図示していないゲートウェイ等を介して相互接続されている。
【００１１】
先ず、携帯電話機１について説明する。図２は、携帯電話機１の概略構成図である。
【００１２】
図示するように、携帯電話機１は、ＭＭインターフェース部１１と、携帯電話処理部１２と、無線ＬＡＮアダプタインターフェース部１３と、付加サービス提供部１４と、接続制御部１５と、を有する。
【００１３】
ＭＭインターフェース部１１は、マンマシンインターフェースであり、図示するように、スピーカ、マイクを備えたハンドセット１１１と、液晶パネル等の表示部１１２と、ダイヤルキー、ファンクションキー等の各種キーを備えた操作部１１３と、を有する。
【００１４】
携帯電話処理部１２は、携帯電話サービスに必要な呼制御処理および通話処理を行う。図示するように、携帯電話処理部１２は、無線基地局４と無線通信を行う無線通信部１２１と、呼制御処理を行って公衆回線網５Ａ経由で通話相手との間にコネクションを確立する呼制御部１２２と、呼制御部１２２により確立されたコネクションを介して通話相手と通話信号を送受する通話処理部１２３と、を有する。
【００１５】
無線ＬＡＮアダプタインターフェース部１３は、自携帯電話機１が所定の無線ＬＡＮアダプタ２に装着された場合に、自携帯電話機１をこの無線ＬＡＮアダプタ２に接続するためのインターフェースである。自携帯電話機１の図示していないバッテリは、この無線ＬＡＮアダプタインターフェース部１３を介して無線ＬＡＮアダプタ２から供給された電力により充電される。また、図示するように、無線ＬＡＮアダプタインターフェース部１３は、自携帯電話機１が所定の無線ＬＡＮアダプタ２に装着されたことを検出する装着検出部１３１を有する。
【００１６】
付加サービス提供部１４は、留守番電話サービスを提供する。具体的には、呼制御部１２２から呼出信号を受信した場合に、オフフック信号を呼制御部１２２に送信して、通話相手との間にコネクションを確立させる。そして、所定の音声メッセージを通話処理部１２３に送信することにより、このコネクションを介してこの音声メッセージを通話相手に通知すると共に、通話相手が送信した音声メッセージを、このコネクションおよび通話処理部１２３を介して受信し、これを留守番電話メッセージとして記憶する。
【００１７】
接続制御部１５は、所定の無線ＬＡＮアダプタ２の自携帯電話機１への装着状態に応じて、各部間の接続を制御する。具体的には、所定の無線ＬＡＮアダプタ２が自携帯電話機１に装着されている場合、無線ＬＡＮアダプタインターフェース部１３をＭＭインターフェース部１１に接続すると共に、携帯電話処理部１２を付加サービス提供部１４に接続する。また、所定の無線ＬＡＮアダプタ２が自携帯電話機１に装着されていない場合、携帯電話処理部１２をＭＭインターフェース部１１に接続する。
【００１８】
図３は、携帯電話機１の動作を説明するためのフロー図である。
【００１９】
接続制御部１５は、装着検出部１３１による装着状態の検出結果に応じた処理を実行する。所定の（例えば自携帯電話機１とペアの）無線ＬＡＮアダプタ２（以下、正規の無線ＬＡＮアダプタ２と呼ぶ）が自携帯電話機１に装着されていない場合（Ｓ１０１で「ペア非装着」）、接続制御部１５は、自携帯電話機１を、通常の携帯電話機としての動作モードである携帯電話モードで動作させる（Ｓ１０２）。
【００２０】
すなわち、操作部１１３は、ユーザから発信指示を受け付けると、接続制御部１５を介して、この発信指示を呼制御部１２２に通知する。これを受けて、呼制御部１２２は、操作部１１３を介して、ユーザから宛先の電話番号が入力されるのを待ち、この宛先の電話番号を伴う呼設定要求メッセージを無線通信部１２１から送信する。この呼設定要求メッセージは、無線基地局４を介して公衆回線網５Ａに送信される。それから、呼制御部１２２は、無線通信部１２１を介して通話相手から呼設定応答メッセージを受信すると、この通話相手との間にコネクションを確立する。そして、通話処理部１２３が、このコネクションを用いた通話処理を開始する（発信処理）。
【００２１】
また、呼制御部１２２は、無線通信部１２１を介して通話相手から呼設定要求メッセージを受信すると、接続制御部１５を介してハンドセット１１１に呼出音データを出力する。それから、呼制御部１２２は、操作部１１３を介して、ユーザから応答指示を受信すると、無線通信部１２１を介して通話相手に呼設定応答メッセージを送信して、この通話相手との間にコネクションを確立する。そして、通話処理部１２３が、このコネクションを用いた通話処理を開始する（着信処理）。
【００２２】
通話処理が開始すると、ハンドセット１１１に入力された音声データは、接続制御部１５を介して通話処理部１２３に入力され、この通話処理部１２３により通話データに変換され、コネクションを介して通話相手に送信される。また、コネクションを介して通話相手から受信した通話データは、通話処理部１２３により音声データに変換され、接続制御部１５を介してハンドセット１１１に送信される。そして、ハンドセット１１１から音声出力される。
【００２３】
一方、正規の無線ＬＡＮアダプタ２が自携帯電話機１に装着されている場合（Ｓ１０１で「ペア装着」）、接続制御部１５は、自携帯電話機１を、後述する携帯電話付加サービスモードで動作させる（Ｓ１０７）。
【００２４】
さて、携帯電話モード（Ｓ１０２）において、自携帯電話機１に無線ＬＡＮアダプタ２が装着され、装着検出部１３１が、この無線ＬＡＮアダプタ２から送信された番号要求を受信すると（Ｓ１０３でＹＥＳ）、装着検出部１３１は、自携帯電話機１の電話番号をこの無線ＬＡＮアダプタ２に送信して、この無線ＬＡＮアダプタ２から装着状態通知を受信する（Ｓ１０４）。この装着状態通知が、正規の無線ＬＡＮアダプタ２が自携帯電話機１に装着されていないことを示している場合（Ｓ１０５でＮＯ）、装着検出部１３１は、接続制御部１５を介して表示部１１２に、自携帯電話機１が、誤った無線ＬＡＮアダプタ２（自携帯電話機１とペアでない無線ＬＡＮアダプタ２）に装着された旨のメッセージを表示する等の所定のエラー処理を行い、Ｓ１０１に戻る。
【００２５】
一方、この装着状態通知が、自携帯電話機１に正規の無線ＬＡＮアダプタ２が装着されていることを示している場合（Ｓ１０５でＹＥＳ）、装着検出部１３１は、接続制御部１５に、携帯電話モードから携帯電話付加サービスモードへの変更を指示する。これを受けて、接続制御部１５は、携帯電話処理部１２をＭＭインターフェース部１１から切り離す。そして、無線ＬＡＮアダプタインターフェース部１３をＭＭインターフェース部１１に接続すると共に、携帯電話処理部１２を付加サービス提供部１４に接続する（Ｓ１０６）。その後、Ｓ１０１に戻る。
【００２６】
また、携帯電話付加サービスモード（Ｓ１０７）において、自携帯電話機１から正規の無線ＬＡＮアダプタ２が取り外されると、装着検出部１３１は、これを検出し（Ｓ１０８でＹＥＳ）、接続制御部１５に、携帯電話付加サービスモードから携帯電話モードへの変更を指示する。これを受けて、接続制御部１５は、無線ＬＡＮアダプタインターフェース部１３をＭＭインターフェース部１１から切り離すと共に、携帯電話処理部１２を付加サービス提供部１４から切り離す。そして、携帯電話処理部１２をＭＭインターフェース部１１に接続する（Ｓ１０９）。その後、Ｓ１０１に戻る。
【００２７】
図４は、図３に示す携帯電話付加サービスモード（Ｓ１０７）での動作を説明するためのフロー図である。
【００２８】
接続制御部１５は、操作部１１３に指示が入力され、これにより操作部１１３から指示データを受信すると、あるいはハンドセット１１１に音声が入力され、これによりハンドセット１１１から音声データを受信すると（Ｓ１０７１でＹＥＳ）、受信したデータを無線ＬＡＮアダプタインターフェース部１３に中継する（Ｓ１０７２）。無線ＬＡＮアダプタインターフェース部１３に中継されたデータは、自携帯電話機１に装着された無線ＬＡＮアダプタ２に送信される。
【００２９】
また、接続制御部１５は、無線ＬＡＮアダプタインターフェース部１３を介して、自携帯電話機１に装着された無線ＬＡＮアダプタ２からデータを受信すると（Ｓ１０７３でＹＥＳ）、この受信データが音声データならば、これをハンドセット１１１に中継し音声出力させる。一方、この受信データが表示データならば、これを表示部１１２に中継し表示させる（Ｓ１０７４）。
【００３０】
これらのＳ１０７１〜Ｓ１０７４に示す処理により、自携帯電話機１は、無線ＬＡＮアダプタ２のマンマシンインターフェースとして機能する。
【００３１】
また、呼制御部１２２は、無線通信部１２１を介して、通話相手から呼設定要求メッセージを受信すると（Ｓ１０７５でＹＥＳ）、接続制御部１５を介して付加サービス提供部１４に呼出音データを出力する。これを受けて、付加サービス提供部１４は、接続制御部１５を介して呼制御部１２２に応答指示を送信する。これにより、呼制御部１２２が無線通信部１２１を介して通話相手に呼設定応答を送信して、この通話相手との間にコネクションを確立する。そして、通話処理部１２３が、このコネクションを用いた通話処理を開始する（Ｓ１０７６）。
【００３２】
通話処理が開始すると、付加サービス提供部１４は、例えば、メッセージを残せる旨、至急連絡を取りたい場合には自携帯電話機１が装着されている無線ＬＡＮアダプタ２のＩＰ電話番号に電話をして欲しい旨等の音声メッセージを、接続制御部１５を介して通話処理部１２３に送信する。通話処理部１２３は、この音声データを通話データに変換し、コネクションを介して通話相手に送信する（Ｓ１０７７）。
【００３３】
それから、通話処理部１２３は、コネクションを介して通話相手から受信した通話データを音声データに変換し、接続制御部１５を介して付加サービス提供部１４に送信する。付加サービス提供部１４は、接続制御部１５を介して通話処理部１２３から受信した音声データを、留守番電話メッセージとして、図示していないメモリ等に記憶する（Ｓ１０７８）。なお、記憶した留守番電話メッセージは、操作部１１３に入力されたユーザの指示に従い、ハンドセット１１１から出力することができる。
【００３４】
その後、呼制御部１２２は、無線通信部１２１を介して、通話相手から呼解放要求メッセージを受信する。そして、無線通信部１２１を介して通話相手に呼解放応答メッセージを送信して、コネクションを切断する（Ｓ１０７９）。
【００３５】
次に、無線ＬＡＮアダプタ２について説明する。図５は、無線ＬＡＮアダプタ２の概略構成図である。
【００３６】
図示するように、無線ＬＡＮアダプタ２は、携帯電話機インターフェース部２１と、ＩＰ電話処理部２２と、電話帳記憶部２３と、充電台インターフェース部２４と、付加サービス提供部２５と、接続制御部２６と、を有する。
【００３７】
携帯電話機インターフェース部２１は、所定の携帯電話機１が自無線ＬＡＮアダプタ２に装着された場合に、この携帯電話機１に自無線ＬＡＮアダプタ２を接続するためのインターフェースである。無線ＬＡＮアダプタ２は、この携帯電話機インターフェース部２１を介して携帯電話機１に電力を供給する。また、図示するように、携帯電話機インターフェース部２１は、所定の携帯電話機１が自無線ＬＡＮアダプタ２に装着されたことを検出する装着検出部２１１を有する。
【００３８】
ＩＰ電話処理部２２は、ＩＰ電話サービスに必要な呼制御処理および通話処理を行う。図示するように、ＩＰ電話処理部２２は、無線ＬＡＮアクセスポイント６と無線ＬＡＮ通信を行う無線ＬＡＮ通信部２２１と、ＳＩＰ（Ｓｅｓｓｉｏｎ  Ｉｎｉｔｉａｔｉｏｎ  Ｐｒｏｔｏｃｏｌ）等に従い呼制御処理を行ってＩＰ電話網５Ｂ経由で通話相手との間にコネクションを確立する呼制御部２２２と、ＲＴＰ（Ｒｅａｌｔｉｍｅ  Ｔｒａｎｓｐｏｒｔ  Ｐｒｏｔｏｃｏｌ）等に従い呼制御部２２２により確立されたコネクションを介して通話相手と通話信号を送受する通話処理部２２３と、を有する。
【００３９】
呼制御部２２２は、発信に際して、呼設定要求メッセージに、予め登録された所定の電話番号（自無線ＬＡＮアダプタ２とペアの携帯電話機１の電話番号）を携帯電話番号として含めて、この呼設定要求メッセージを無線ＬＡＮ通信部２２１から送信する。また、呼制御部２２２は、着信があった場合に、この着信した呼設定要求メッセージに携帯電話番号が含まれているか否かを調べ、含まれている場合に、この携帯電話番号を示す表示データを接続制御部２６に出力する。
【００４０】
電話帳記憶部２３は、通話相手候補各々の氏名、住所、電話番号等を含む電話帳データを記憶している。この電話帳データは、例えば発信に際して、ユーザが宛先の電話番号を特定するのに用いられる。
【００４１】
充電台インターフェース部２４は、自無線ＬＡＮアダプタ２が充電台３に装着された場合に、この充電台３に自無線ＬＡＮアダプタ２を接続するためのインターフェースである。自無線ＬＡＮアダプタ２の図示していないバッテリは、この充電台インターフェース部２４を介して充電台３から供給された電力により充電される。
【００４２】
付加サービス提供部２５は、自無線ＬＡＮアダプタ２への着信に対して、ユーザにより選択された付加サービスを提供する。図示するように、付加サービス提供部２５は、留守電サービス処理部２５１と、着信転送サービス処理部２５２と、不在通知サービス処理部２５３と、を有する。
【００４３】
留守電サービス処理部２５１は、留守番電話サービスを提供する。具体的には、呼制御部２２２から呼出音データを受信した場合に、オフフック信号を呼制御部２２２に送信して、通話相手との間にコネクションを確立させる。そして、所定の音声メッセージを通話処理部２２３に送信することにより、このコネクションを介して通話相手にこの音声メッセージを通知すると共に、通話相手が送信した音声メッセージを、このコネクションおよび通話処理部２２３を介して受信し、これを留守番電話メッセージとして記憶する。
【００４４】
着信転送サービス処理部２５２は、着信転送サービスを提供する。具体的には、呼制御部２２２から呼出音データを受信した場合に、呼制御部２２２に、予め登録された電話番号（所定の携帯電話機１の電話番号）への転送を指示する。これを受けて、呼制御部２２２は、着信した呼設定要求メッセージの宛先番号を、着信転送サービス処理部２５２より通知された電話番号に変更し、この呼設定要求メッセージを無線ＬＡＮ通信部２２１から送信する。
【００４５】
不在通知サービス処理部２５３は、不在通知サービスを提供する。具体的には、呼制御部２２２から呼出音データを受信した場合に、呼制御部２２２に、不在通知を指示する。これを受けて、呼制御部２２２は、無線ＬＡＮ通信部２２１を介して呼設定要求メッセージの送信元に不在通知応答メッセージを送信する。
【００４６】
接続制御部２６は、自無線ＬＡＮアダプタ２の所定の携帯電話機１への装着状態に応じて、各部間の接続を制御する。具体的には、自無線ＬＡＮアダプタ２が正規の携帯電話機１（すなわち、例えば自無線ＬＡＮアダプタ２とペアの携帯電話機１といった所定の携帯電話機１）に装着されている場合、携帯電話機インターフェース部２１をＩＰ電話処理部２２および電話帳記憶部２３に接続する。また、自無線ＬＡＮアダプタ２が正規の携帯電話機１に装着されていない場合、ＩＰ電話処理部２２を付加サービス提供部２５に接続する。
【００４７】
図６は、無線ＬＡＮアダプタ２の動作を説明するためのフロー図である。
【００４８】
接続制御部２６は、装着検出部２１１による装着状態の検出結果に応じた処理を実行する。
【００４９】
自無線ＬＡＮアダプタ２が正規の携帯電話機１に装着されていない場合（Ｓ２０１で「ペア非装着」）、接続制御部２６は、自携帯電話機１を、後述するＩＰ電話付加サービスモードで動作させる（Ｓ２０２）。一方、自無線ＬＡＮアダプタ２が正規の携帯電話機１に装着されている場合（Ｓ２０１で「ペア装着」）、接続制御部１５は、自携帯電話機１を、後述するＩＰ電話モードで動作させる（Ｓ２０９）。
【００５０】
さて、ＩＰ電話付加サービスモード（Ｓ２０２）において、自無線ＬＡＮアダプタ２が携帯電話機１に装着されると（Ｓ２０３でＹＥＳ）、装着検出部２１１が、これを検出し、この携帯電話機１に番号要求を送信して、この携帯電話機１から電話番号を受信する（Ｓ２０４）。
【００５１】
次に、装着検出部２１１は、Ｓ２０４で受信した電話番号が、正規の携帯電話機１の電話番号として予め登録された電話番号と一致するか否かを判断する（Ｓ２０５）。
【００５２】
Ｓ２０４で受信した電話番号が、予め登録された電話番号と一致する場合（Ｓ２０５でＹＥＳ）、装着検出部２１１は、自無線ＬＡＮアダプタ２に正規の携帯電話機１が装着されたものと判断し、状態「ペア装着」を示す装着状態通知を、この携帯電話機１に送信する（Ｓ２０６）。それから、装着検出部２１１は、接続制御部２６に、ＩＰ電話付加サービスモードからＩＰ電話モードへの変更を指示する。これを受けて、接続制御部２６は、ＩＰ電話処理部２２を付加サービス提供部２５から切り離す。そして、携帯電話機インターフェース部２１をＩＰ電話処理部２２および電話帳記憶部２３に接続する（Ｓ２０７）。その後、Ｓ２０１に戻る。
【００５３】
一方、Ｓ２０４で受信した電話番号が、正規の携帯電話機１の電話番号として予め登録された電話番号と一致しない場合（Ｓ２０５でＮＯ）、自無線ＬＡＮアダプタ２に装着された携帯電話機１は、正規の携帯電話機１でないものと判断し、状態「ペア非装着」を示す装着状態通知を、この携帯電話機１に送信する（Ｓ２０８）。その後、Ｓ２０１に戻る。
【００５４】
また、ＩＰ電話モード（Ｓ２０９）において、自無線ＬＡＮアダプタ２が携帯電話機１から取り外されると、装着検出部２１１は、これを検出し（Ｓ２１０でＹＥＳ）、接続制御部２６に、ＩＰ電話モードからＩＰ電話付加サービスモードへの変更を指示する。これを受けて、接続制御部２６は、携帯電話機インターフェース部２１をＩＰ電話処理部２２および電話帳記憶部２３から切り離すと共に、ＩＰ電話処理部２２を付加サービス提供部２５に接続する（Ｓ２１１）。その後、Ｓ２０１に戻る。
【００５５】
図７は、図６に示すＩＰ電話付加サービスモード（Ｓ２０２）での動作を説明するためのフロー図である。
【００５６】
呼制御部２２２は、無線ＬＡＮ通信部２２１を介して通話相手から呼設定要求メッセージを受信すると（Ｓ２０２１でＹＥＳ）、接続制御部２６を介して付加サービス提供部２５に呼出音データを出力する。これを受けて、付加サービス提供部２５は、ユーザにより予め選択された付加サービスの種別に応じた処理を実行する。そして、留守番電話サービスが選択されている場合（Ｓ２０２２で「留守電」）はＳ２０２３に進み、着信転送サービスが選択されている場合（Ｓ２０２２で「着信転送」）はＳ２０２７に進み、そして、不在通知サービスが選択されている場合（Ｓ２０２２で「不在通知」）はＳ２０２８に進む。
【００５７】
Ｓ２０２３において、留守電サービス処理部２５１は、接続制御部２６を介して呼制御部２２２に応答指示を送信する。これにより、呼制御部２２２が無線ＬＡＮ通信部２２１を介して通話相手に呼設定応答メッセージを送信して、この通話相手との間にコネクションを確立する。そして、通話処理部２２３が、このコネクションを用いた通話処理を開始する（Ｓ２０２３）。
【００５８】
通話処理が開始すると、留守電サービス処理部２５１は、例えば、メッセージを残せる旨、至急連絡を取りたい場合には自無線ＬＡＮアダプタ２に装着されている携帯電話機１の電話番号に電話をして欲しい旨等の音声メッセージを、接続制御部２６を介して通話処理部２２３に送信する。通話処理部２２３は、この音声データを通話データに変換し、コネクションを介して通話相手に送信する（Ｓ２０２４）。
【００５９】
それから、通話処理部２２３は、コネクションを介して通話相手から受信した通話データを音声データに変換し、接続制御部２６を介して留守電サービス処理部２５１に送信する。留守電サービス処理部２５１は、接続制御部２６を介して通話処理部２２３から受信した音声データを、留守番電話メッセージとして、図示していないメモリ等に記憶する（Ｓ２０２５）。なお、記憶した留守番電話メッセージは、携帯電話機インターフェース部２１を介して携帯電話機１から受け付けたユーザの指示に従い、携帯電話機１のＭＭインターフェース部１１に出力することができる。
【００６０】
その後、呼制御部２２２は、無線ＬＡＮ通信部２２１を介して通話相手から呼解放要求メッセージを受信する。そして、無線ＬＡＮ通信部２２１を介して通話相手に呼解放応答メッセージを送信して、コネクションを切断する（Ｓ２０２６）。
【００６１】
また、Ｓ２０２７において、着信転送サービス処理部２５２は、呼制御部２２２に、予め登録された電話番号（例えば、正規の携帯電話機１の電話番号）への転送を指示する。これを受けて、呼制御部２２２は、着信した呼設定要求メッセージの宛先番号を、着信転送サービス処理部２５２より通知された電話番号に変更して、この呼設定要求メッセージを無線ＬＡＮ通信部２２１から送信する（Ｓ２０２７）。
【００６２】
また、Ｓ２０２８において、不在通知サービス処理部２５３は、呼制御部２２２に不在通知を指示する。これを受けて、呼制御部２２２は、無線ＬＡＮ通信部２２１を介して呼設定要求メッセージの送信元に、不在通知応答メッセージを送信する（Ｓ２０２８）。
【００６３】
図８は、図６に示すＩＰ電話モード（Ｓ２０９）での動作を説明するためのフロー図である。
【００６４】
携帯電話機インターフェース部２１は、自無線ＬＡＮアダプタ２に装着された携帯電話機１からデータを受信すると（Ｓ２０９１で「携帯電話機」）、この受信データを接続制御部２６に渡す。接続制御部２６は、この受信データが、携帯電話機１のハンドセット１１１から出力された音声データであるならば（Ｓ２０９２で「音声」）、この音声データを通話処理部２２３に中継する。これを受けて、通話処理部２２３は、接続制御部２６から受信した音声データを通話データに変換し、確立中のコネクションを介して通話相手に送信する（Ｓ２０９３）。
【００６５】
また、この受信データが、携帯電話機１の操作部１１３の所定のキー（ダイヤルキー、発信キー、着信応答キー等）操作により出力された呼制御指示データであるならば（Ｓ２０９２で「呼制御指示」）、接続制御部２６は、この呼制御指示データを呼制御部２２２に中継する。これを受けて、呼制御部２２２は、後述する第１の呼制御処理を行う（Ｓ２０９４）。
【００６６】
また、この受信データが、携帯電話機１の操作部１１３の所定のキー（電話帳検索キー等）操作により出力された電話帳参照要求データであるならば（Ｓ２０９２で「電話帳参照要求」）、接続制御部２６は、電話帳記憶部２３にアクセスして、電話帳データを読み出す（Ｓ２０９５）。そして、読み出した電話帳データを表示データに変換して、携帯電話機インターフェース部２１に中継する（Ｓ２０９６）。この電話帳データは、携帯電話機１の表示部１１２に表示される。
【００６７】
また、無線ＬＡＮ通信部２２１は、無線ＬＡＮアクセスポイント６からデータを受信すると（Ｓ２０９１で「無線ＬＡＮ」）、この受信データが、確立中のコネクションを介して受信した通話データであるならば（Ｓ２０９７で「通話」）、この通話データを通話処理部２２３に中継する。これを受けて、通話処理部２２３は、無線ＬＡＮ通信部２２１から受信した通話データを音声データに変換し、接続制御部２６および携帯電話機インターフェース部２１を介して、自無線ＬＡＮアダプタ２に装着された携帯電話機１へ送信する（Ｓ２０９８）。また、この受信データが呼制御指示データであるならば（Ｓ２０９７で「呼制御指示」）、この呼制御指示データを呼制御部２２２に中継する。これを受けて、呼制御部２２２は、後述する第２の呼制御処理を行う（Ｓ２０９９）。
【００６８】
図９は、図８に示す第１の呼制御処理（Ｓ２０９４）での動作を説明するためのフロー図である。
【００６９】
携帯電話機インターフェース部２１および接続制御部２６を介して携帯電話機１から受け取った呼制御指示データが発信指示データである場合（Ｓ２０９４１でＹＥＳ）、呼制御部２２２は、携帯電話機１から宛先の電話番号を受信するのを待つ（Ｓ２０９４２）。
【００７０】
なお、宛先の電話番号は、携帯電話機１において、操作部１１３のダイヤルキーが操作されることにより、あるいは操作部１１３の選択キーが操作されて表示部１１２に表示されているいずれかの電話帳データが選択されることにより、携帯電話機１から無線ＬＡＮアダプタ２に送信される。
【００７１】
それから、呼制御部２２２は、所定の電話番号（正規の携帯電話機１の電話番号）を、図示していないメモリ等から取得し（Ｓ２０９４３）、この電話番号を携帯電話番号として含む呼設定要求メッセージを生成する。そして、この呼設定要求メッセージを無線ＬＡＮ通信部２２１から送信する（Ｓ２０９４４）。
【００７２】
また、携帯電話機インターフェース部２１および接続制御部２６を介して携帯電話機１から受け取った呼制御指示データが着信応答指示データである場合（Ｓ２０９４５でＹＥＳ）、呼制御部２２２は、呼設定応答メッセージを生成し、この呼設定応答メッセージを無線ＬＡＮ通信部２２１から送信する（Ｓ２０９４６）。これにより、通話相手との間にコネクションを確立する（Ｓ２０９４７）。
【００７３】
また、携帯電話機インターフェース部２１および接続制御部２６を介して携帯電話機１から受け取った呼制御指示データが解放指示データである場合（Ｓ２０９４８でＹＥＳ）、呼制御部２２２は、解放要求メッセージを生成し、この解放要求メッセージを無線ＬＡＮ通信部２２１から送信する（Ｓ２０９４９）。これにより、確立中のコネクションを切断する（Ｓ２０９５０）。
【００７４】
図１０は、図８に示す第２の呼制御処理（Ｓ２０９９）での動作を説明するためのフロー図である。
【００７５】
無線ＬＡＮアクセスポイント６から受け取った呼制御指示データが呼設定要求メッセージである場合（Ｓ２０９９１でＹＥＳ）、無線ＬＡＮ通信部２２１は、この呼設定要求メッセージを呼制御部２２２に渡す。これを受けて、呼制御部２２２は、この呼設定要求メッセージに携帯電話番号が含まれているか否かを調べる（Ｓ２０９９２）。含まれている場合は（Ｓ２０９９２でＹＥＳ）、この携帯電話番号を示す表示データを生成し、接続制御部２６に出力する。接続制御部２６は、携帯電話機インターフェース部２１を介して、自無線ＬＡＮアダプタ２に装着された携帯電話機１に、この表示データを送信する（Ｓ２０９９３）。
【００７６】
また、呼制御部２２２は、呼出音データを生成し、接続制御部２６に出力する。接続制御部２６は、携帯電話機インターフェース部２１を介して、自無線ＬＡＮアダプタ２に装着された携帯電話機１に、この呼出音データを送信する（Ｓ２０９９４）。
【００７７】
また、無線ＬＡＮアクセスポイント６から受け取った呼制御指示データが呼設定応答メッセージである場合（Ｓ２０９９５でＹＥＳ）、無線ＬＡＮ通信部２２１は、この呼設定応答メッセージを呼制御部２２２に渡す。これを受けて、呼制御部２２２は、通話相手との間にコネクションを確立する（Ｓ２０９９６）。
【００７８】
また、無線ＬＡＮアクセスポイント６から受け取った呼制御指示データが解放要求メッセージである場合（Ｓ２０９９７でＹＥＳ）、無線ＬＡＮ通信部２２１は、この解放要求メッセージを呼制御部２２２に渡す。これを受けて、呼制御部２２２は、解放応答メッセージを生成し、この解放応答メッセージを無線ＬＡＮ通信部２２１から送信する（Ｓ２０９９８）。これにより、通話相手との間のコネクションを切断する（Ｓ２０９９９）。
【００７９】
次に、図１に示す通信システムの動作例を説明する。
【００８０】
図１１は、携帯電話機１を無線ＬＡＮアダプタ２に着脱した場合の動作例を説明するためのシーケンス図である。
【００８１】
携帯電話機１に、正規の無線ＬＡＮアダプタ２が装着されたとする（Ｓ３０１）。無線ＬＡＮアダプタ２は、携帯電話機１の装着を検出し、この携帯電話機１に番号要求を送信する（Ｓ３０２）。
【００８２】
これを受けて、携帯電話機１は、自携帯電話機１の電話番号を無線ＬＡＮアダプタ２に送信する（Ｓ３０３）。無線ＬＡＮアダプタ２は、この電話番号が、自無線ＬＡＮアダプタ２に、正規の携帯電話機１の電話番号として予め登録されている所定の電話番号と一致することを確認し（Ｓ３０４）、自無線ＬＡＮアダプタ２が、自無線ＬＡＮアダプタ２とペアの携帯電話機１に装着されたことを示す装着状態「ペア装着」を通知する（Ｓ３０５）。
【００８３】
それから、無線ＬＡＮアダプタ２は、自無線ＬＡＮアダプタ２のＩＰ電話処理部２２が携帯電話機１のＭＭインターフェース部１１を利用できるように内部接続を変更する（Ｓ３０６）。一方、携帯電話機１は、無線ＬＡＮアダプタ２から装着状態「ペア装着」を受信すると、自携帯電話機１のＭＭインターフェース部１１が無線ＬＡＮアダプタ２のＩＰ電話処理部２２を利用でき、且つ自携帯電話機１の携帯電話処理部１２が自携帯電話機１の付加サービス提供部１４を利用できるように内部接続を変更する（Ｓ３０７）。
【００８４】
その後、携帯電話機１から無線ＬＡＮアダプタ２が取り外されたとする（Ｓ３０８）。無線ＬＡＮアダプタ２は、携帯電話機１の取り外しを検出し、自無線ＬＡＮアダプタ２のＩＰ電話処理部２２が自無線ＬＡＮアダプタ２の付加サービス提供部２５を利用できるように内部接続を変更する（Ｓ３０９）。同様に、携帯電話機１は、無線ＬＡＮアダプタ２の取り外しを検出し、自携帯電話機１の携帯電話処理部１２が自携帯電話機１のＭＭインターフェース部１１を利用できるように内部接続を変更する（Ｓ３１０）。
【００８５】
図１２は、正規の携帯電話機１が装着された無線ＬＡＮアダプタ２が発信する場合の動作例を説明するためのシーケンス図である。
【００８６】
携帯電話機１は、ＭＭインターフェース部１１を介して、ユーザから電話帳の参照要求を指示されると、電話帳参照要求データを無線ＬＡＮアダプタ２に送信する（Ｓ３３１）。これを受けて、無線ＬＡＮアダプタ２は、電話帳記憶部２３から電話帳データを読み出し、携帯電話機１に送信する（Ｓ３３２）。そして、携帯電話機１がこの電話帳データをＭＭインターフェース部１１の表示部１１２に表示する（Ｓ３３３）。
【００８７】
さて、携帯電話機１は、ＭＭインターフェース部１１を介して、ユーザから、発信指示データの入力と表示中の電話帳データの中から電話番号の選択とを受け付けると、無線ＬＡＮアダプタ２に、発信指示データおよび選択された電話番号を送信する（Ｓ３３４、Ｓ３３５）。これを受けて、無線ＬＡＮアダプタ２は、携帯電話機１から受け付けた電話番号を宛先番号とする呼設定要求メッセージを生成し、この呼設定要求メッセージに、自無線ＬＡＮアダプタ２に正規の携帯電話機１の電話番号として予め登録されている所定の電話番号（例えば自無線ＬＡＮアダプタ２とペアの携帯電話機１の電話番号）を携帯電話番号として含める（Ｓ３３６）。それから、無線ＬＡＮアダプタ２は、この呼設定要求メッセージを送信する。この呼設定要求メッセージは、無線ＬＡＮアクセスポイント６、主装置８およびゲートウェイ９を介してＩＰ電話網５Ｂに送信される（Ｓ３３７）。
【００８８】
それから、無線ＬＡＮアダプタ２は、ゲートウェイ９、主装置８および無線ＬＡＮアクセスポイント６を介してＩＰ電話網５Ｂから呼設定応答メッセージを受信する（Ｓ３３８）。これにより、ＩＰ電話網５Ｂ経由で通話相手との間にコネクションが確立される（Ｓ３３９）。その後、無線ＬＡＮアダプタ２は、このコネクションを介して通話相手から受信した通話データを音声データに変換し、携帯電話機１に送信する。これにより、通話相手の音声が携帯電話機１のＭＭインターフェース部１１から出力される。また、無線ＬＡＮアダプタ２は、携帯電話機１から受信した音声データを通話データに変換し、コネクションを介して通話相手に送信する。これにより、携帯電話機１のＭＭインターフェース部１１に入力された音声が通話相手に伝わる（Ｓ３４０）。
【００８９】
図１３は、正規の携帯電話機１が装着された無線ＬＡＮアダプタ２に着信した場合の動作例を説明するためのシーケンス図である。
【００９０】
ゲートウェイ９、主装置８および無線ＬＡＮアクセスポイント６を介してＩＰ電話網５Ｂから呼設定要求メッセージが無線ＬＡＮアダプタ２に着信すると（Ｓ３５１）、無線ＬＡＮアダプタ２は、この呼設定要求メッセージに携帯電話番号が含まれているか否かを確認する（Ｓ３５２）。そして、含まれているならば、この携帯電話番号を携帯電話機１に送信する（Ｓ３５３）。これを受けて、携帯電話機１は、無線ＬＡＮアダプタ２から通知された携帯電話番号をＭＭインターフェース部１１の表示部１１２に表示する（Ｓ３５４）。
【００９１】
また、無線ＬＡＮアダプタ２は、呼出音データを携帯電話機１に送信する（Ｓ３５５）。これを受けて、携帯電話機１は、無線ＬＡＮアダプタ２から受信した呼出音データをＭＭインターフェース部１１のハンドセット１１１から出力する（Ｓ３５６）。
【００９２】
さて、携帯電話機１は、ＭＭインターフェース部１１を介して、ユーザから応答指示を受けると、この着信応答指示データを無線ＬＡＮアダプタ２に送信する（Ｓ３５７）。これを受けて、無線ＬＡＮアダプタ２は、呼設定要求メッセージの送信元に呼設定応答メッセージを送信する。この呼設定応答メッセージは、無線ＬＡＮアクセスポイント６、主装置８およびゲートウェイ９を介してＩＰ電話網５Ｂに送信され（Ｓ３５８）、これにより、ＩＰ電話網５Ｂ経由で通話相手との間にコネクションが確立される（Ｓ３５９）。
【００９３】
その後、無線ＬＡＮアダプタ２は、このコネクションを介して通話相手から受信した通話データを音声データに変換し、携帯電話機１に送信する。これにより、通話相手の音声が携帯電話機１のＭＭインターフェース部１１のハンドセット１１１から出力される。また、無線ＬＡＮアダプタ２は、携帯電話機１から受信した音声データを通話データに変換し、コネクションを介して通話相手に送信する。これにより、携帯電話機１のＭＭインターフェース部１１のハンドセット１１１に入力された音声が通話相手に伝わる（Ｓ３６０）。
【００９４】
図１４は、正規の無線ＬＡＮアダプタ２が装着された携帯電話機１に着信した場合の動作例を説明するためのシーケンス図である。
【００９５】
無線基地局４を介して公衆回線網５Ａから呼設定要求メッセージが携帯電話機１に着信すると（Ｓ３７１）、携帯電話機１がこれに応答し（Ｓ３７２）、公衆回線網５Ａ経由で通話相手との間にコネクションを確立する（Ｓ３７３）。
【００９６】
それから、携帯電話機１は、例えばメッセージを残せる旨、至急連絡を取りたい場合には自携帯電話機１が装着されている無線ＬＡＮアダプタ２のＩＰ電話番号に電話をして欲しい旨等の音声メッセージを、このコネクションを介して通話相手に送信する（Ｓ３７４）。そして、このコネクションを介して通話相手から留守番電話メッセージを受信したならば（Ｓ３７５）、これを録音する（Ｓ３７６）。
【００９７】
その後、携帯電話機１は、通話相手から解放要求メッセージを受信すると（Ｓ３７７）、これに応答して（Ｓ３７８）、通話相手との間に確立したコネクションを切断する（Ｓ３７９）。
【００９８】
図１５は、正規の携帯電話機１が装着されていない無線ＬＡＮアダプタ２に着信した場合の動作例を説明するためのシーケンス図である。ここで、無線ＬＡＮアダプタ２は、付加サービスとして留守番電話サービスが選択されているものとする。
【００９９】
ゲートウェイ９、主装置８および無線ＬＡＮアクセスポイント６を介してＩＰ電話網５Ｂから呼設定要求メッセージが無線ＬＡＮアダプタ２に着信すると（Ｓ３９１）、無線ＬＡＮアダプタ２はこれに応答し（Ｓ３９２）、ＩＰ電話網５Ｂ経由で通話相手との間にコネクションを確立する（Ｓ３９３）。
【０１００】
それから、無線ＬＡＮアダプタ２は、例えばメッセージを残せる旨、至急連絡を取りたい場合には所定の携帯電話機１の電話番号に電話をして欲しい旨等の音声メッセージを、このコネクションを介して通話相手に送信する（Ｓ３９４）。そして、このコネクションを介して通話相手から留守番電話メッセージを受信したならば（Ｓ３９５）、これを録音する（Ｓ３９６）。
【０１０１】
その後、無線ＬＡＮアダプタ２は、通話相手から解放要求メッセージを受信すると（Ｓ３９７）、これに応答して（Ｓ３９８）、通話相手との間に確立したコネクションを切断する（Ｓ３９９）。
【０１０２】
以上、本発明の一実施の形態を説明した。
【０１０３】
本実施の形態では、無線ＬＡＮアダプタ２が携帯電話機１に装着されている場合、携帯電話機１のＭＭインターフェース部１１を携帯電話処理部１２から切り離して、無線ＬＡＮアダプタ２のＩＰ電話処理部２２に接続することにより、携帯電話機１のＭＭインターフェース部１１を利用したＩＰ電話を可能とする。一方、無線ＬＡＮアダプタ２が携帯電話機１から取り外されている場合、携帯電話機１のＭＭインターフェース部１１を携帯電話処理部１２に接続することにより通常の携帯電話を可能にする。これと共に、無線ＬＡＮアダプタ２のＩＰ電話処理部２２を付加サービス提供部２５に接続することにより、無線ＬＡＮアダプタ２への着信を処理する。
【０１０４】
このため、本実施の形態によれば、携帯電話機１に装着されていない無線ＬＡＮアダプタ２への着信に対して付加サービスを提供することができるため、ユーザは、ＩＰ電話への着信の有無を心配せずに携帯電話機１を持ち運びすることができるため、これにより、携帯電話およびＩＰ電話の双方の機能を利用可能にする携帯電話機１および無線ＬＡＮアダプタ２の使い勝手を向上させることができる。
【０１０５】
また、本実施の形態では、留守番電話サービス、着信転送サービス、および不在通知サービスのいずれかを提供する付加サービス提供部２５を無線ＬＡＮアダプタ２に設けているので、携帯電話機１に装着されていない無線ＬＡＮアダプタ２に着信した場合に、この無線ＬＡＮアダプタ２のユーザが電話にでることができないにもかかわらず、この着信した呼設定要求メッセージの送信元がこの無線ＬＡＮアダプタ２を呼び出し続けるといった事態が発生するのを防止できる。
【０１０６】
また、本実施の形態では、無線ＬＡＮアダプタ２が携帯電話機１に装着されている場合、携帯電話機１の携帯電話処理部１２を、留守番電話サービスを提供する付加サービス提供部１４に接続することにより、携帯電話機１への着信を処理する。このため、本実施の形態によれば、無線ＬＡＮアダプタ２が装着された携帯電話機１に着信した場合に、この携帯電話機１のユーザが電話にでることができないにもかかわらず、この着信した呼設定要求メッセージの送信元がこの携帯電話機１を呼び出し続けるといった事態が発生するのを防止できる。
【０１０７】
また、本実施の形態では、無線ＬＡＮアダプタ２に電話帳記憶部２３を設け、無線ＬＡＮアダプタ２が装着された携帯電話機１のＭＭインターフェース部１１から、この電話帳記憶部２３に記憶されている電話帳データにアクセスできるようにしている。このため、携帯電話機１に無線ＬＡＮアダプタ２を装着することで、携帯電話機１のメモリには記憶されていない電話帳データを取り扱うことが可能となる。
【０１０８】
また、本実施の形態において、携帯電話機１は、自携帯電話機１に装着された無線ＬＡＮアダプタ２に自携帯電話機１の電話番号を通知する。そして、無線ＬＡＮアダプタ２は、発信に際して、自無線ＬＡＮアダプタ２が装着された携帯電話機１から通知された電話番号を携帯電話番号として呼設定要求メッセージに含め、無線ＬＡＮアクセスポイント６に送信する。また、無線ＬＡＮアダプタ２は、無線ＬＡＮアクセスポイント６経由で着信した呼設定要求メッセージに、携帯電話番号が含まれている場合、この携帯電話番号を自無線ＬＡＮアダプタ２が装着された携帯電話機１のＭＭインターフェース部１１に表示する。
【０１０９】
したがって、本実施の形態によれば、無線ＬＡＮアダプタ２が発信した場合でも、この無線ＬＡＮアダプタ２が装着された携帯電話機１の電話番号を相手に知らせることができる。ＩＰ電話番号よりも認識度が高いと思われる携帯電話番号を相手の携帯電話機に表示させることにより、誰からの電話かをより把握し易くさせることができる。
【０１１０】
また、本実施の形態において、携帯電話機１は、自携帯電話機１に装着された無線ＬＡＮアダプタ２に自携帯電話機１の電話番号を通知して、無線ＬＡＮアダプタ２から装着状態を取得する。一方、無線ＬＡＮアダプタ２は、自無線ＬＡＮアダプタ２が装着された携帯電話機１から受信した電話番号が所定の電話番号と一致する場合に、装着状態「装着」を通知し、一致しない場合は装着状態「非装着」を通知する。そして、携帯電話機１および無線ＬＡＮアダプタ２は、装着状態「装着」の場合に、携帯電話機１のＭＭインターフェース部１１を携帯電話処理部１２から切り離して、無線ＬＡＮアダプタ２のＩＰ電話処理部２２に接続することにより、携帯電話機１のＭＭインターフェース部１１を利用したＩＰ電話を可能とする。
【０１１１】
したがって、本実施の形態によれば、携帯電話機１に、この携帯電話機１とペアの無線ＬＡＮアダプタ２として予め登録されている無線ＬＡＮアダプタ２が装着された場合にのみ、携帯電話機１のＭＭインターフェース部１１を利用したＩＰ電話を可能とすることができる。
【０１１２】
なお、本発明は上記の実施の形態に限定されるものではなく、その要旨の範囲内で数々の変形が可能である。
【０１１３】
例えば、上記の実施の形態では、無線ＬＡＮアダプタ２に設けた付加サービス提供部２５が、携帯電話機１に装着されていない無線ＬＡＮアダプタ２への着信に対して付加サービスを提供している。しかし、本発明はこれに限定されない。主装置８が付加サービス機能を有する場合、無線ＬＡＮアダプタ２の携帯電話機１への装着状態に応じて、付加サービス提供部２５がこの付加サービス機能を利用するようにしてもよい。
【０１１４】
例えば付加サービス提供部２５は、接続制御部２６によってＩＰ電話処理部２２に接続された場合に、ＩＰ電話処理部２２の無線ＬＡＮ通信部２２１を介して、留守番電話サービス機能を有する主装置８に留守番電話設定要求を送信して、自無線ＬＡＮアダプタ２を宛先とする着信に対する留守番電話サービスを有効とする。また、接続制御部２６は、付加サービス提供部２５をＩＰ電話処理部２２から切り離すのに先立って、その旨を付加サービス提供部２５に通知し、これを受けて、付加サービス提供部２５が、この主装置８に留守番電話解除要求を送信して、自無線ＬＡＮアダプタ２を宛先とする着信に対する留守番電話サービスを無効とする。
【０１１５】
また、例えば付加サービス提供部２５は、接続制御部２６によってＩＰ電話処理部２２に接続された場合に、ＩＰ電話処理部２２の無線ＬＡＮ通信部２２１を介して、着信転送サービス機能を有する主装置８に着信転送設定要求を送信して、自無線ＬＡＮアダプタ２を宛先とする着信を所定の携帯電話機１に転送する着信転送サービスを有効とする。また、接続制御部２６は、付加サービス提供部２５をＩＰ電話処理部２２から切り離すのに先立って、その旨を付加サービス提供部２５に通知し、これを受けて、付加サービス提供部２５が、この主装置８に着信転送解除要求を送信して、自無線ＬＡＮアダプタ２を宛先とする着信を所定の携帯電話機１に転送する着信転送サービスを無効とする。
【０１１６】
また、例えば付加サービス提供部２５は、接続制御部２６によってＩＰ電話処理部２２に接続された場合に、ＩＰ電話処理部２２の無線ＬＡＮ通信部２２１を介して、不在通知サービス機能を有する主装置８に不在設定要求を送信して、自無線ＬＡＮアダプタ２を宛先とする着信に対する不在通知サービスを有効とする。また、接続制御部２６は、付加サービス提供部２５をＩＰ電話処理部２２から切り離すのに先立って、その旨を付加サービス提供部２５に通知し、これを受けて、付加サービス提供部２５が、この主装置８に不在設定解除要求を送信して、自無線ＬＡＮアダプタ２を宛先とする着信に対する不在通知サービスを無効とする。
【０１１７】
このように主装置８が備える付加サービスを利用することにより、付加サービスの処理にかかる無線ＬＡＮアダプタ２の負担を軽減することができる。
【０１１８】
また、上記の実施の形態では、無線ＬＡＮアダプタ２が携帯電話機１に装着されている場合、携帯電話機１の携帯電話処理部１２を付加サービス提供部１４に接続することにより、携帯電話機１への着信を処理している。ここで、付加サービス提供部１４が提供する付加サービスは留守番電話サービスに限定されない。自携帯電話機１に着信した呼設定要求メッセージを、自携帯電話機１に装着されている無線ＬＡＮアダプタ２のＩＰ電話番号に転送する着信転送サービスでもよいし、あるいは、自携帯電話機１に着信した呼設定要求メッセージの送信元に不在通知メッセージを送信する不在通知サービスでもよい。
【０１１９】
または、無線ＬＡＮアダプタ２が装着されている携帯電話機１に着信した場合に、携帯電話機１のＭＭインターフェース部１１を無線ＬＡＮアダプタ２のＩＰ電話処理部２２から切り離して、携帯電話処理部１２に接続させることで、ユーザがこの着信に応答できるようにするサービスを提供するものでもよい。
【０１２０】
図１６は、図４に示す携帯電話付加サービスモード（図３のＳ１０７）の変形例を説明するための図である。ここで、図４に示すものと同じ処理には同じ符号を付している。
【０１２１】
図示するように、呼制御部１２２は、無線通信部１２１を介して通話相手から呼設定要求メッセージを受信すると（Ｓ１０７５でＹＥＳ）、接続制御部１５を介して付加サービス提供部１４に呼出音データを出力する。これを受けて、付加サービス提供部１４は、接続制御部１５に、ＩＰ電話中であるか否かの確認依頼を通知する。接続制御部１５は、付加サービス提供部１４から確認依頼を受け取ると、無線ＬＡＮアダプタインターフェース部１３、携帯電話機インターフェース部２１および接続制御部２６を介して、ＩＰ電話処理部２２の呼制御部２２２にアクセスし、通話相手との間にコネクションを確立中であるか否かを調べる（Ｓ１０８１）。
【０１２２】
コネクションを確立中でないならば（Ｓ１０８１でＮＯ）、Ｓ１０８５に進む。
【０１２３】
一方、コネクションを確立中であるならば（Ｓ１０８１でＹＥＳ）、接続制御部１５は、ＭＭインターフェース部１１の表示部１１１に、自携帯電話機１に着信があった旨を表示し（Ｓ１０８２）、ＭＭインターフェース部１１を介して、ユーザから、この着信に応答するために接続を切り替えるか否かを示す指示が入力されるのを待つ。そして、入力された指示が、接続の切り替えをする旨の指示であるならば（Ｓ１０８３でＹＥＳ）、Ｓ１０８５に進む。一方、入力された指示が接続の切り替えしない旨の指示であるならば（Ｓ１０８３でＮＯ）、接続制御部１５は、付加サービス提供部１４に話中処理を指示する。これを受けて、付加サービス提供部１４は、呼制御部１２２を制御し、着信した呼の送信元にビジーを送信する等の所定の話中処理を行う（Ｓ１０８４）。
【０１２４】
また、Ｓ１０８５において、接続制御部１５は、無線ＬＡＮアダプタインターフェース部１３および携帯電話機インターフェース部２１を介して接続制御部２６に、装着状態「ペア非装着」を通知する。また、無線ＬＡＮアダプタインターフェース部１３をＭＭインターフェース部１１から切り離すと共に、携帯電話処理部１２を付加サービス提供部１４から切り離す。そして、携帯電話処理部１２をＭＭインターフェース部１１に接続する。これにより、自携帯電話機１を、通常の携帯電話機としての動作モードである携帯電話モードで動作させる（Ｓ１０８６）。
【０１２５】
一方、無線ＬＡＮアダプタ２において、接続制御部２６は、接続制御部１５から装着状態「ペア非装着」を受け取ると、携帯電話機インターフェース部２１をＩＰ電話処理部２２および電話帳記憶部２３から切り離すと共に、ＩＰ電話処理部２２を付加サービス提供部２５に接続する。これにより、自無線ＬＡＮアダプタ２をＩＰ電話付加サービスモード（図７参照）で動作させる。
【０１２６】
その後、接続制御部１５は、携帯電話処理部１２の呼制御部１２２を監視し、通話相手との間に確立したコネクションが切断するのを待つ（Ｓ１０８７）。そして、通話相手とのコネクションが切断したならば（Ｓ１０８７でＹＥＳ）、接続制御部１５は、無線ＬＡＮアダプタインターフェース部１３および携帯電話機インターフェース部２１を介して接続制御部２６に、装着状態「ペア装着」を通知する。また、携帯電話処理部１２をＭＭインターフェース部１１から切り離す。そして、無線ＬＡＮアダプタインターフェース部１３をＭＭインターフェース部１１に接続すると共に、携帯電話処理部１２を付加サービス提供部１４に接続する（Ｓ１０８８）。
【０１２７】
一方、無線ＬＡＮアダプタ２において、接続制御部２６は、接続制御部１５から装着状態「ペア装着」を受け取ると、ＩＰ電話処理部２２を付加サービス提供部２５から切り離す。そして、携帯電話機インターフェース部２１をＩＰ電話処理部２２および電話帳記憶部２３に接続する。これにより、自無線ＬＡＮアダプタ２をＩＰ電話モード（図８参照）で動作させる。
【０１２８】
また、上記の実施の形態において、携帯電話機１および無線ＬＡＮアダプタ２の構成は、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）、ＰＣ（Ｐｅｒｓｏｎａｌ  Ｃｏｍｐｕｔｅｒ）などの計算機によりソフトウエア的に実行されるものでもよい。
【図面の簡単な説明】
【０１２９】
【図１】図１は、本発明の一実施の形態が適用された電話システムを含む通信システムの概略図である。
【図２】図２は、携帯電話機１の概略構成図である。
【図３】図３は、携帯電話機１の動作を説明するためのフロー図である。
【図４】図４は、図３に示す携帯電話付加サービスモード（Ｓ１０７）での動作を説明するためのフロー図である。
【図５】図５は、無線ＬＡＮアダプタ２の概略構成図である。
【図６】図６は、無線ＬＡＮアダプタ２の動作を説明するためのフロー図である。
【図７】図７は、図６に示すＩＰ電話付加サービスモード（Ｓ２０２）での動作を説明するためのフロー図である。
【図８】図８は、図６に示すＩＰ電話モード（Ｓ２０９）での動作を説明するためのフロー図である。
【図９】図９は、図８に示す第１の呼制御処理（Ｓ２０９４）での動作を説明するためのフロー図である。
【図１０】図１０は、図８に示す第２の呼制御処理（Ｓ２０９９）での動作を説明するためのフロー図である。
【図１１】図１１は、携帯電話機１を無線ＬＡＮアダプタ２に着脱した場合の動作例を説明するためのシーケンス図である。
【図１２】図１２は、自無線ＬＡＮアダプタ２と対の携帯電話機１が装着された無線ＬＡＮアダプタ２が発信する場合の動作例を説明するためのシーケンス図である。
【図１３】図１３は、自無線ＬＡＮアダプタ２と対の携帯電話機１が装着された無線ＬＡＮアダプタ２に着信した場合の動作例を説明するためのシーケンス図である。
【図１４】図１４は、自携帯電話機１と対の無線ＬＡＮアダプタ２が装着された携帯電話機１に着信した場合の動作例を説明するためのシーケンス図である。
【図１５】図１５は、自無線ＬＡＮアダプタ２と対の携帯電話機１が装着されていない無線ＬＡＮアダプタ２に着信した場合の動作例を説明するためのシーケンス図である。
【図１６】図１６は、図４に示す携帯電話付加サービスモード（図３のＳ１０７）の変形例を説明するための図である。
【符号の説明】
【０１３０】
１：携帯電話機、２：無線ＬＡＮアダプタ、３：充電台、４：無線基地局、５Ａ：公衆回線網、５Ｂ：ＩＰ電話網、６：無線ＬＡＮアクセスポイント、７：ＬＡＮ、８：主装置、９：ゲートウェイ、１１：ＭＭインターフェース部、１２：携帯電話処理部、１３：無線ＬＡＮアダプタインターフェース部、１４：付加サービス提供部、１５：接続制御部、２１：携帯電話機インターフェース部、２２：ＩＰ電話処理部、２３：電話帳記憶部美、２４：充電台インターフェース部、２５：付加サービス提供部、２６：接続制御部、１１１：ハンドセット、１１２：表示部、１１３：操作部、１２１：無線通信部、１２２：呼制御部、１２３：通話処理部、１３１：装着検出部、２１１：装着検出部、２２１：無線ＬＡＮ通信部、２２２：呼制御部、２２３：通話処理部、２５１：留守電サービス処理部、２５２：着信転送サービス処理部、２５３：不在通知サービス処理部
【図１】
0005088079.tif 000002
【図２】
0005088079.tif 000003
【図３】
0005088079.tif 000004
【図４】
0005088079.tif 000005
【図５】
0005088079.tif 000006
【図６】
0005088079.tif 000007
【図７】
0005088079.tif 000008
【図８】
0005088079.tif 000009
【図９】
0005088079.tif 000010
【図１０】
0005088079.tif 000011
【図１１】
0005088079.tif 000012
【図１２】
0005088079.tif 000013
【図１３】
0005088079.tif 000014
【図１４】
0005088079.tif 000015
【図１５】
0005088079.tif 000016
【図１６】
0005088079.tif 000017